(57)【要約】【課題】配線等が複雑になると、外部接続機器用接続部を情報処理装置用制御装置に取り付け、取り外しが困難になり、保守も容易ではない状況にある。【解決手段】複数の外部接続コネクタと、該複数の外部接続コネクタを支持すると共に、結合用接続端子を端部に有する外部接続機器用Ｉ／Ｏボードと備えた外部接続機器用接続部を備え、外部接続機器用接続部はレバー部材及びガイド溝を有することにより、情報処理装置用制御装置に対して、ネジ無しで取り付け、取り外しができるような構成を有している。【選択図】図１０
2013008339.tif 000002
【特許請求の範囲】
【請求項１】
複数の外部接続コネクタと、該複数の外部接続コネクタを固定されると共に、結合用接続端子を端部に有する外部接続機器用Ｉ／Ｏボードを備えた外部接続機器用接続部を含み、前記外部接続機器用Ｉ／Ｏボードは、前記外部接続機器用接続部を外部機器に着脱するレバー部材及び着脱用ガイド溝を有することを特徴とする情報処理装置用制御装置。
【請求項２】
請求項１において、前記外部接続機器用接続部は、前記複数の外部接続コネクタの配置及び前記外部接続コネクタの種類が互いに異なる複数種類の外部接続機器用Ｉ／Ｏボードによって構成されていることを特徴とする情報処理装置用制御装置。
【請求項３】
請求項１又は２において、前記レバー部材は、前記外部接続機器用Ｉ／Ｏボード上部に設けられたブラケットに取り付けられ、前記着脱用ガイド溝は、前記外部接続機器用Ｉ／Ｏボードの底部に設けられ、前記着脱用ガイド溝は略Ｌ字状の形状を有していることを特徴とする情報処理装置用制御装置。
【請求項４】
請求項３において、前記外部接続機器用接続部を搭載する取付用挿入口を有するシャーシ部を更に有することを特徴とする情報処理装置用制御装置。
【請求項５】
請求項４において、前記シャーシ部は、前記取付用挿入口の上辺から下方向に突出し、前記レバー部材と連結される第１の突起部と、前記取付用挿入口の底辺から上方向に突出して、前記外部機器着脱用ガイド溝内に挿入される第２の突起部と、前記複数種類の外部接続機器用Ｉ／Ｏボードに対して共通に使用され、前記結合用接続端子と連結されるシャーシ側コネクタを備えていることを特徴とする情報処理装置用制御装置。
【請求項６】
請求項５において、前記シャーシ部は、更に、マザーボードを含み、前記シャーシ側コネクタに連結されたマザーボード装着用コネクタと、当該マザーボード装着用コネクタに着脱されるマザーボード側コネクタとを含んでいることを特徴とする情報処理装置用制御装置。
【請求項７】
請求項６において、前記シャーシ部は、前記マザーボードを支持する支持プレートを備え、前記マザーボードは、前記支持プレートに対してネジなしで取り付けるための取付用絶縁性スペーサを有していることを特徴とする情報処理装置用制御装置。
【請求項８】
請求項７において、前記シャーシ部は、更に、前記支持プレートに設けられた嵌合部によって支持される電源部を備えていることを特徴とする情報処理装置用制御装置。
【請求項９】
請求項８において、前記電源部及び前記マザーボードを押圧固定するカバー部材を有することを特徴とする情報処理装置用制御装置。
【請求項１０】
請求項９において、前記シャーシ部は、更に、ハードディスク装着部を備えていることを特徴とする情報処理装置用制御装置。
【発明の詳細な説明】
【技術分野】
【０００１】
本発明は、情報処理装置用制御装置に関する。
【背景技術】
【０００２】
通常、この種の情報処理装置用制御装置には、ディスプレイ、プリンタ、マウス、キーボード等の周辺機器が接続されている。また、情報処理装置用制御装置のうち、ＰＯＳ装置用制御装置には、上記した周辺機器に加えて、バーコードリーダ、カードリーダ等の周辺機器も接続されている。このため、情報処理装置用制御装置には、これら周辺機器を接続するための各種周辺機器用コネクタが設置されている。また、コネクタの種類は、標準的に備えられているコネクタの外に、拡張用コネクタが設けられる場合も多い。
【０００３】
ここで、情報処理装置用制御装置として、ＰＯＳ装置用制御装置を例にとって説明すると、当該ＰＯＳ装置用制御装置には、ＣＰＵ等を搭載したマザーボードの外、電源部、及び、各種のデータを格納するハードディスクドライブ（ＨＤＤ）等がシャーシ内に設けられている。これらマザーボード、電源部、及びＨＤＤは、通常、ワイヤ、ケーブルによって、周辺機器用コネクタと電気的に接続されている。即ち、マザーボード、電源部、及びＨＤＤと、周辺機器用コネクタとの間には、配線部が設けられているのが普通である。
【０００４】
一方、特許文献１には、小型機器を収納するために使用できるネジ止め不要な筐体が開示されている。具体的に説明すると、特許文献１に示された筐体は、アッパーカバーとロアカバーに２分割された筐体部を、ネジを用いないで、爪、爪受け、及び係止部材によって組み立てることができる。
【先行技術文献】
【特許文献】
【０００５】
【特許文献１】特開２００３−１１０２５３号公報
【発明の概要】
【発明が解決しようとする課題】
【０００６】
周辺機器の数が多くなり、周辺機器用コネクタの数が多くなると、配線部における配線量は膨大な量となり、配線が複雑になるだけでなく、保守も難しくなってしまう。
【０００７】
また、マザーボード、電源部、及びＨＤＤは、相互に関連して電源電圧の送受及びデータの送受を行うため、マザーボード、電源部、及びＨＤＤの配線部は、情報処理装置用制御装置内で複雑に絡み合った状態で配線されている。マザーボード、電源部、及びＨＤＤは、配線を切り離さない限り、分離して取り外せない構成となっている場合が多い。このことは、周辺機器用コネクタとの配線部についても同様である。
【０００８】
更に、マザーボード、電源部、及びＨＤＤは、シャーシ内に設けられた支持プレート等に、ネジによって固定されているのが普通である。このように、ネジによって固定した場合、組立、保守、修理等の際に、配線部と共に、ネジも外す必要があり、組立、保守、修理等に非常に時間が掛かってしまう。
【０００９】
また、特許文献１は、２分割できる筐体をネジ無しで固定することを開示しているが、配線部を内部に内蔵した筐体については何ら示唆していない。
【００１０】
本発明の課題は、周辺機器接続用コネクタを搭載した外部接続用接続部を簡単に取り付け、及び、取り外しができる情報処理装置用制御装置を提供することである。
【課題を解決するための手段】
【００１１】
本発明の第１の態様によれば、複数の外部接続コネクタと、該複数の外部接続コネクタを固定されると共に、結合用接続端子を端部に有する外部接続機器用Ｉ／Ｏボードを備えた外部接続機器用接続部を含み、前記外部接続機器用Ｉ／Ｏボードは、前記外部接続機器用接続部を外部機器に着脱するレバー部材及び着脱用ガイド溝を有することを特徴とする情報処理装置用制御装置が得られる。
【００１２】
本発明の第２の態様によれば、第１の態様において、前記外部接続機器用接続部は、前記複数の外部接続コネクタの配置及び前記外部接続コネクタの種類が互いに異なる複数種類の外部接続機器用Ｉ／Ｏボードによって構成されていることを特徴とする情報処理装置用制御装置が得られる。
【００１３】
本発明の第３の態様によれば、第１又は第２の態様において、前記レバー部材は、前記外部接続機器用Ｉ／Ｏボードの上部に設けられたブラケットに取り付けられ、前記着脱用ガイド溝は、前記外部接続機器用Ｉ／Ｏボードの底部に設けられ、前記着脱用ガイド溝は略Ｌ字状の形状を有していることを特徴とする情報処理装置用制御装置が得られる。
【００１４】
本発明の第４の態様によれば、第３の態様において、前記外部接続機器用接続部を搭載する取付用挿入口を有するシャーシ部を更に有することを特徴とする情報処理装置用制御装置が得られる。
【００１５】
本発明の第５の態様によれば、第４の態様において、前記シャーシ部は、前記取付用挿入口の上辺から下方向に突出し、前記レバー部材と連結される第１の突起部と、前記取付用挿入口の底辺から上方向に突出して、前記外部機器着脱用ガイド溝内に挿入される第２の突起部と、前記複数種類の外部接続機器用Ｉ／Ｏボードに対して共通に使用され、前記結合用接続端子と連結されるシャーシ側コネクタを備えていることを特徴とする情報処理装置用制御装置が得られる。
【００１６】
本発明の第６の態様によれば、第５の態様において、前記シャーシ部は、更に、マザーボートを含み、前記シャーシ側コネクタに連結されたマザーボード装着用コネクタと、当該マザーボード装着用コネクタに着脱されるマザーボード側コネクタとを含んでいることを特徴とする情報処理装置用制御装置が得られる。
【００１７】
本発明の第７の態様によれば、第６の態様において、前記シャーシ部は、前記マザーボードを支持する支持プレートを備え、前記マザーボードは、前記支持プレートに対してネジなしで取り付けるための取付用絶縁性スペーサを有していることを特徴とする情報処理装置用制御装置が得られる。
【００１８】
本発明の第８の態様によれば、第７の態様において、前記シャーシ部は、更に、前記支持プレートに設けられた嵌合部によって支持される電源部を備えていることを特徴とする情報処理装置用制御装置が得られる。
【００１９】
本発明の第９の態様によれば、第８の態様において、前記電源部及び前記マザーボードを押圧固定するカバー部材を有することを特徴とする情報処理装置用制御装置が得られる。
【００２０】
本発明の第１０の態様によれば、第９の態様において、前記シャーシ部は、更に、ハードディスク装着部（ＨＤＤ）を備えていることを特徴とする情報処理装置用制御装置が得られる。
【００２１】
本発明の第１１の態様によれば、第１０の態様において、前記ハードディクス装着部に装着されるハードディスクは、互いに間隔を置いて配置された２つの挿抜用舌片を有していることを特徴とする情報処理装置用制御装置が得られる。
【発明の効果】
【００２２】
本発明によれば、外部接続機器用接続部を容易に取り付け、取り外しができ、保守等も容易な情報処理装置用制御装置が得られる。更に、本発明では、互いに異なる配列形式で複数種類のコネクタを配列した複数種類の外部接続用接続部を用意しておくことにより、情報処理装置用制御装置に対してワンタッチで交換することができる。
【図面の簡単な説明】
【００２３】
【図１】本発明の一実施形態に係る情報処理装置用制御装置の外観を示す斜視図である。
【図２】図１に示された情報処理装置用制御装置のリアカバーを説明する斜視図である。
【図３】（Ａ）及び（Ｂ）は図１に示されたフロントカバーを具体的に説明する斜視図である。
【図４】（Ａ）、（Ｂ）、（Ｃ）、（Ｄ）、及び（Ｅ）は、図１に示された情報処理装置用制御装置のシャーシカバーを取り除いた状態を示す斜視図であり、（Ａ）はフロントカバーが取り付けられた状態、（Ｂ）はフロントカバーを取り除いた状態を示し、（Ｃ）、（Ｄ）、及び（Ｅ）は、フロントカバー取付動作を説明する拡大図である。
【図５】（Ａ）〜（Ｃ）は、フロントカバーを取り除いた状態における支持プレートをより具体的に説明する図であり、（Ａ）は斜視図、（Ｂ）は支持プレートの平面図、及び、（Ｃ）は使用される部品を拡大して示す図である。
【図６】（Ａ）、（Ｂ）、（Ｃ）、及び（Ｄ）は、それぞれマザーボードを取り付けた状態、電源部を取り付けた状態、電源部に押圧カバーを取り付けた状態、及び、押圧カバーを示す斜視図であり、（Ｅ）は押圧カバーの一部を拡大して示す図である。
【図７】（Ａ）、（Ｂ）、及び（Ｃ）は、それぞれマザーボードの斜視図、正面図、及び裏面図であり、（Ｄ）はマザーボードに使用される部品を拡大して示す図である。
【図８】（Ａ）、（Ｂ）、及び（Ｃ）は、それぞれＨＤＤの取り付け位置を示す斜視図、ＨＤＤ部の外観を示す斜視図、ＨＤＤのガイド部を示す斜視図、（Ｄ）はシャーシ側の抑え構造を説明する拡大図であり、（Ｅ）はＨＤＤ部の一部を拡大して示す図である。
【図９】（Ａ）、（Ｂ）、（Ｃ）、及び（Ｄ）は、外部接続機器用接続部の取り付け位置、外部接続機器用接続部の概略構成、取り付け後の状態、及び、ライザボードを示す斜視図である。
【図１０】（Ａ）、（Ｂ）、（Ｃ）、及び（Ｄ）は外部接続機器用接続部を示す斜視図、上面図、底面図、及びレバー部材を示す拡大図である。
【図１１】（Ａ）、（Ｂ）、（Ｃ）、（Ｄ）及び（Ｅ）は外部接続機器用接続部をシャーシに取り付ける構造を説明する図であり、（Ｃ）、（Ｄ）、及び（Ｅ）は図１１（Ａ）及び（Ｂ）の一部を拡大して示す拡大図である。
【図１２】（Ａ）、（Ｂ）、及び（Ｃ）は外部接続機器用接続部を構成する３種類のパネルを示す図である。
【発明を実施するための形態】
【００２４】
図１を参照すると、本発明の実施形態に係る情報処理装置用制御装置１００の全体構成が示されている。ここでは、情報処理装置用制御装置１００として、ＰＯＳ制御装置が示されている。図示された情報処理装置用制御装置１００はシャーシ（即ち、筐体フレーム）１０２、シャーシ１０２の前面側に設けられたフロントカバー１０４、及びシャーシ１０２の背面側に設けられたリアカバー１０６によって構成されている。ここで、フロントカバー１０４及びリアカバー１０６といずれもネジ無しでシャーシ１０２に固定されている。また、シャーシ１０２は、図の下側に設けられたシャーシ本体１０２１とシャーシカバー（トップカバー）１０５とによって構成されており、シャーシ１０２とシャーシカバー（トップカバー）１０５もネジ無しで互いに嵌合する形で組み立てられている。トップカバー１０５の取り付け構造については後述する。
【００２５】
図２を参照すると、リアカバー１０６の内側の構成が示されており、リアカバー１０６の内側上部には、４つの係合爪１０６１が設けられており、リアカバー１０６の内側下部には、３つの係合部１０６２が設けられている。この構成では、シャーシ１０２の背面側の上下に設けられた開口部に、係合爪１０６１及び係合部１０６２を挿入し、図１の右側方向にスライドさせることにより、シャーシ１０２にリアカバー１０６を装着することができ、左側にスライドさせることにより、リアカバー１０６を取り外すことができる。図示されたリアカバー１０６は非導電性の樹脂によって形成されている。このように、リアカバー１０６は横方向にスライドすることによって取り外すことができるため、リアカバー１０６を掴んで持ち上げても、リアカバー１０６が外れるおそれはない。
【００２６】
図３（Ａ）及び（Ｂ）を参照すると、フロントカバー１０４は、その内側上部に３つの上部爪１０４１、また、内側下部に３つの下部爪１０４２を備えている。図示されたリアカバー１０６と同様に非導電性の樹脂によって形成されており、フロントカバー１０４の上部爪１０４１、下部爪１０４２をシャーシ１０２の背面側に設けられた開口部に嵌合スライドさせることにより、フロントカバー１０４を着脱することができる。また、図３（Ａ）及び（Ｂ）に示すように、フロントカバー１０４の内側には、静電気防止用金属板１０４３が貼り付けられており、当該静電気防止用金属板１０４３には、シャーシ１０２と電気的に接触を取るための舌片１０４４が複数個設けられている。静電気防止用金属板１０４３を設けることにより、フロントカバー１０４からの静電気は、フレームグランドに放電されるため、フロントカバー１０４の内側に搭載される部品等が静電気によって破壊されるのを防止できる。
【００２７】
いずれにしても、フロントカバー１０４及びリアカバー１０６はネジ無しでシャーシ１０２に固定することができる。
【００２８】
図４（Ａ）を参照すると、フロントカバー１０４をシャーシ１０２に取り付けた状態が示されている。図示されたフロントカバー１０４の前面には、保守用のＵＳＢポート１０４１が設けられているため、保守用の機器を情報処理装置用制御装置１００の前面に接続して保守を行うことができる。よって、保守用機器を情報処理装置用制御装置１００の裏面や側面に接続できない場合に極めて有効である。
【００２９】
一方、図４（Ｂ）に示されているように、シャーシ１０２の下部シャーシを構成するシャーシ本体１０２１は、矩形形状の内部空間（挿入口）を規定すると共に、前面側に前面プレート１０２２が固定されている。この例では、シャーシ本体１０２１と前面プレート１０２２は板金加工により一体成形されていても良い。
【００３０】
前面プレート１０２２の上部には、フロントカバー１０４の上部爪１０４１を受ける３つの穴１０２３が設けられ、また、下部にはフロントカバー１０４の下部爪１０４２を受け、下部爪１０４２を固定するスライド型固定部１０２４及びスライド爪１０２６が設けられている。図４（Ｂ）に示すように、前面プレート１０２２によって、シャーシ本体１０２１の空間は、２つの導入口に分けられている。
【００３１】
図４（Ｃ）、（Ｄ）、（Ｅ）は、シャーシ本体１０２１に設けられるスライド固定部１０２４及びスライド爪１０２５の動作を拡大して説明するものであり、シャーシ本体１０２１の底部には、図４（Ｃ）に示すように、スライドボタン１０２５が設けられており、当該スライドボタン１０２５をスライドさせると、スライドボタン１０２５に連動して、シャーシ本体１０２１の空間側に設けられたスライド固定部１０２４及びスライド爪１０２６は図４（Ｄ）及び（Ｅ）に示すように、右に移動し、更に、シャーシ本体１０２１側に設けられた係止板１０２７が図４（Ｄ）から（Ｅ）に示すように、上方向に持ち上がる。この結果、フロントカバー１０４に設けられ、且つ、係止板１０２７によって押圧されていた下部爪１０４２の押圧状態が、解除され、フロントカバー１０４の下辺のロック状態は解除される。この例では、スライドボタン１０２５をスライドさせ、フロントカバー１０４の下部爪１０４２の係合を解除しても、上部爪１０４１の係合は解除されないため、フロントカバー１０４の落下を防止した状態で、取り外しができる。
【００３２】
図４（Ｂ）に戻ると、シャーシ本体１０２１の上部には、導電性の金属によって形成された支持プレート１１０がシャーシ本体１０２１に嵌め込まれている。このため、図示されたシャーシ１０２内部の空間は、支持プレー１１０によって、上下２つの空間に分けられている。この例では、支持プレート１１０及びシャーシ１０２は同一の金属材料、例えば、亜鉛メッキ鋼板を板金加工することによって構成されている。
【００３３】
図５（Ａ）及び（Ｂ）を参照すると、支持プレート１１０の上面部は、電源部取付部分１１０１とマザーボード取付部分１１０２とに区分されており、電源部取付部分１１０１には、電源支持用バネ１１０５が設けられ、他方、マザーボード取付部分１１０２には、マザーボードとの電気的な接続をとるための舌片１１０７が複数個配置されている。図５（Ｃ）には、舌片１１０７が拡大して示されている。また、支持プレート１１０のマザーボード取付部分１１０２には、図５（Ｂ）に示すように、漏斗状の孔１１０３が複数個設けられている。支持プレート１１０上の孔１１０３は、左側に直径の大きい円形形状孔と、当該円形形状孔の右側に連続した略楕円形形状孔とによって形成されている。当該漏斗状の孔１１０３には、図７を参照して説明するマザーボード１２２のスペーサ１４０が嵌入され、マザーボード１２２を図５の右方向にスライドさせて固定するために使用される。
【００３４】
図５（Ａ）に示すように、支持プレート１１０の背面側（リアカバー側）には、電源固定用支持部１１０８が設置されており、他方、マザーボード取付部分１１０２の側面には、コネクタ取付部１１０９が設けられている。更に、シャーシ１０２の背面側は支持プレート１１０によって、単一の下部空間が規定され、他方、支持プレート１１０の上部には、標準コネクタ群を取り付けることができるコネクタ取付部が規定されている。
【００３５】
図６（Ａ）、（Ｂ）、（Ｃ）、（Ｄ）、及び（Ｅ）を参照して、シャーシ１０２の上部に配置された支持プレート１１０に、マザーボード、電源部を固定する動作について説明する。尚、図６では、支持プレート１１０の下部に設けられた空間に、拡張用コネクタパネルが既に取り付けられている場合が示されている。
【００３６】
図６（Ａ）では、支持プレート１１０のマザーボード取付部分１１０２上に、マザーボード１２２がネジ無しで取り付けられている。ここで、図７（Ａ）、（Ｂ）、（Ｃ）、及び（Ｄ）をも参照すると、マザーボード１２２上には、ＤＲＡＭ１２２１、ヒートシンク１２２３、ＣＰＵ１２２５、マザーボードコネクタ１２２７、ＲＴＣバッテリ１２２９等が配置されている。マザーボードコネクタ１２２７は、支持プレート１１０の側面に設けられた後述するライザボードと電気的に接続される。更に、図示されたマザーボード１２２には、ハンドル１３０が取り付けられると共に、標準コネクタを配列した標準コネクタ群１２０も配置されている。
【００３７】
図７（Ｃ）に示すように、マザーボード１２２の裏面には、絶縁材料によって形成されたスペーサ１４０が複数個所（この例では６箇所）設けられると共に、マザーボード１２２上のデバイスを接地端子に電気的に接続された電極１４４が複数個所（ここでは、７箇所）に配置されている。
【００３８】
スペーサ１４０は図７（Ｄ）に示すように、台座１４０１、円形台部１４０２、当該円形台部１４０２上に搭載された支持部１４０３、及び、支持部１４０３上に取り付けられた傘型部材１４０４によって構成されている。当該スペーサ１４０を用いることによって支持プレート１１０と、マザーボード１２２とを連結することができる。即ち、図７（Ｄ）の右側に示しているように、マザーボード１２２は、スペーサ１４０の傘型部材１４０４と支持部１４０３の間に嵌入され、他方、支持プレート１１０は台座１４０１と円形台部１４０２との間に嵌入されている。マザーボード１２２を支持プレート１１０に固定する場合、支持プレート１１０上に形成されている漏斗状の孔１１０３の円形形状の孔部分にスペーサ１４０の台座１４０１を挿入した後、漏斗状の孔１１０３の略楕円形形状の孔部分をスライドさせることによって、台座１４０１と円形台座１４０２との間に、支持プレート１１０を噛み込ませることにより、マザーボード１２２と支持プレート１１０を固定することができる。
【００３９】
マザーボード１２２を固定する場合、マザーボード１２２のハンドル１３０を使用して、図６（Ａ）の左から右方向に支持プレート１１０上をスライドさせ、マザーボードコネクタ１２２７を他のデバイスに接続されるライザコネクタと電気的に接続固定することができる。前述したように、支持プレート１１０に設けられた漏斗状の孔１１０３に、マザーボード１２２のスペーサ１４０を差し込んでマザーボード１２２をスライドさせて固定することができる。
【００４０】
この結果、マザーボード１２２のマザーボードコネクタ１２２７がライザプレートのコネクタに接続され固定されると、マザーボード１２２の裏面の電極１４４は支持プレート１１０上の舌片１１０７と電気的に接続された状態となるように構成されている。
【００４１】
前述したように、図６及び図７に示されたマザーボード１２２は、スライドさせることにより、マザーボードコネクタ１２２７を他の回路に接続することによって固定でき、ネジ無しでシャーシ１０２上に固定される。
【００４２】
図６（Ｂ）を参照すると、支持プレート１１０上には、電源部（電源ユニット）１３２が装着されている。電源部１３２の装着の際、まず、電源支持用バネ１１０５及び電源固定用支持部材１１０８（図５（Ｂ））に電源部１３２を接触させた状態で仮固定を行う。
【００４３】
次に、図６（Ｃ）に示すような押圧プレート１３４で電源部１３２を覆い、マザーボード１２２との分離と電源部１３２の固定を行う。この場合、押圧プレート１３４の２つの脚部１３４１は、支持プレート１１０に設けられた開口に挿入され、図６（Ｄ）に示すように、固定される。このため、電源部１３２もネジ無しで支持プレート１１０上に固定される。具体的に説明すると、押圧プレート１３４の脚部１３４１は、図６（Ｅ）に示すように、電源部１３２側に曲げられた２つの舌片によって構成されており、これら舌片を支持プレート１１０に設けられた孔に係合させることにより、押圧プレート１３４を支持プレート１１０上に固定し、この結果、電源部１３２も固定される。この場合、押圧プレート１３４の脚部１３４１は、バネ性を有しており、マザーボード１２２の横方向への移動を規制する機能を有している。
【００４４】
図８（Ａ）、（Ｂ）、（Ｃ）、（Ｄ）、及び（Ｅ）を参照して、情報格納記録媒体としてのハードディスクドライブ（ＨＤＤ）部１５０を情報処理装置用制御装置１００に取り付ける構造について説明する。この例に示されたＨＤＤ部１５０は、シャーシ本体１０２のフロントカバー１０４を取り外し、シャーシ１０２の支持プレート１１０の下部に形成される空間に、挿入される。具体的に説明すると、図示されたＨＤＤ部１５０はＨＤＤ本体１５０１と、当該ＨＤＤ本体１５０１をガイドするガイド部１５０３とによって構成されている。ガイド部１５０３は、図８（Ｂ）に示すように、ＨＤＤ本体１５０１を両側面から支持する２本のガイドバー１５２と、両ガイドバーを連結する連結部１５４とによって構成されている。２本のガイドバー１５２の先端部１５２１は、ＨＤＤ本体１５０１側に曲げられてツマミを構成しており、ガイドバー１５２の先端部は互いに離隔している。このように、ガイドバー１５２の先端が互いに離隔している構成のＨＤＤ部１５０では、ＨＤＤ本体１５０１の前面に記載された表示を直視することができる。また、ガイドバー１５２の先端部１５２１の近傍には、図８（Ｅ）に示すような爪１５２３が設けられており、この爪１５２３が支持プレート１１０に設けられた支持部と係合して固定される。
【００４５】
シャーシ本体１０２１の支持プレート１１０の下部に形成された空間（開口部）の両側には、図５（Ｄ）に示すように、ＨＤＤ部１５０の飛び出しを抑える押さえ１５０５が設けられている。開口部にＨＤＤ部１５０を装着する場合、ガイド部１５０３のガイドバー１５２をシャーシ１０２内のレールと嵌合させることにより、ＨＤＤ部１５０はシャーシ１０２内に装着される。他方、ＨＤＤ部１５０をシャーシ１０２から取り外す場合、ガイドバー１５２の先端部の間隔が狭くなるように力を加えることにより、シャーシ１０２からＨＤＤ部１５０を取り外すことができる。
【００４６】
上記したことからも明らかな通り、本発明に係る情報処理装置用制御装置は、マザーボード１２２、電源部１３２、及びＨＤＤ部１５０をネジ無しで支持プレート１１０或いはシャーシ本体１０２１に固定することができる。
【００４７】
図９（Ａ）、（Ｂ）、（Ｃ）、及び（Ｄ）を参照して、拡張用コネクタを複数配列した外部接続機器用Ｉ／Ｏボード１６０を、シャーシ１０２のシャーシ本体１０２１の背面に設けられた挿入口１６２に挿入する場合について説明する。ここでは、図９（Ａ）に示されたシャーシ本体１０２１の挿入口１６２に、図９（Ｂ）に示された外部接続機器用Ｉ／Ｏボード１６０を図９（Ｃ）に示すように、挿入する例が示される。この場合にも、外部接続機器用Ｉ／Ｏボード１６０は、ネジ無しでシャーシ本体１０２１の挿入口１６２に挿入され、固定される。シャーシ本体１０２１の側面（右側面）には、図９（Ｄ）に拡大して示すライザボード１６４が設けられており、当該ライザボード１６４は、外部接続機器用Ｉ／Ｏボード１６０と電気的に接続される第１のコネクタ１６６と、支持プレート１１０上に取り付けられるマザーボード１２２のマザーボードコネクタ１２２７と接続される第２のコネクタ１６７とを備えている。図示されたライザボード１６４はスタッド１６８によって支持プレート１１０に固定されている。
【００４８】
図１０（Ａ）及び（Ｂ）は、それぞれ、図９（Ｂ）に示された外部接続機器用Ｉ／Ｏボード１６０の斜視図及び上面図である。図示された外部接続機器用Ｉ／Ｏボード１６０は、外部接続機器用接続部としての機能を有し、水平方向に延びるプレート部１７２と当該プレート部に対して垂直なボード部１７４と、ブラケット１７５と、外部接続用端子１８３と複数種類のコネクタ１７６を有するインターフェース基板とで構成されている。
【００４９】
外部接続機器用Ｉ／Ｏボード１６０に配置されるコネクタ１７６の具体例については後述する。
【００５０】
図１０（Ａ）及び（Ｂ）に示されているように、ブラケット１７５のボード部１７４上部には、回動可能なレバー部材１８０、引出用ハンドル１８２、及び外部接続用端子１８３が設けられている。この例では、外部接続用端子１８３は、図の右端部に形成されている。他方、ブラケット１７５の底面には、図１０（Ｃ）に示すような略Ｌ字状の２本の開口１８５が設けられている。
【００５１】
図１０（Ｄ）に示すように、レバー部材１８０は、ブラケット１７５の上部に結合された回転軸１８０１を有し、回転軸１８０１を中心として回転することができる。また、レバー部材１８０は、先端部に間隔を置いて配置された２本のアーム１８０３、１８０５と、他端に設けられたレバー１８０７とを有している。図示されたレバー部材１８０では、２本のアーム１８０３、１８０５との間に、後述するシャーシ本体１２０１側に設けられた円柱状突起１９２と連結される。
【００５２】
シャーシ本体１０２１の挿入口１６２内の下辺部には、図１１（Ｄ）及び（Ｅ）に拡大して示すように、釘状の突起１９０が設けられており、当該釘状の突起１９０に、外部接続機器用Ｉ／Ｏボード１６０のプレート部に設けられた略Ｌ字状の２本の開口１８５内に位置付けられる。
【００５３】
また、シャーシ本体１０２１の挿入口１６２内の上辺部には、図１１（Ｃ）に拡大して示すように、下方向に延びる円柱状突起１９２が、レバー部材１８０のアーム１８０３、１８０５間の溝内に位置付けられる。
【００５４】
装着する場合、外部接続機器用Ｉ／Ｏボード１６０のレバー部材１８０の溝の位置を挿入口内の突起１９２の位置に合わせ、且つ、プレート部の略Ｌ字状の開口１８５を挿入口内下辺の釘状突起１９０の位置に合わせた状態で、挿入口に挿入して突き当てた後、レバー部材１８０を反時計方向に９０度回転すると、外部接続機器用Ｉ／Ｏボード１６０は略Ｌ字状の開口１８５に沿って移動した後、右方向にスライドして最終的に固定された状態になる。この時、外部接続用端子１８３が、ライザボード１６４の第１のコネクタ１６６に挿入され、固定された状態で、外部接続用端子１８３は、ライザボード１６４（図９（Ｄ））の第１のコネクタ１６６に電気的に接触する。
【００５５】
この構成により、拡張用コネクタ群を配置した外部接続機器用Ｉ／Ｏボード１６０をもネジ無しで、シャーシ１０２に固定することができる。
【００５６】
ここで、外部接続機器用Ｉ／Ｏボード１６０に配置される拡張用コネクタは、ユーザ毎に異なっている。ユーザ毎に異なる拡張用コネクタに対する要望に対応できることが望ましい。そこで、ユーザのニーズに対応して異なる拡張用コネクタ配列を有する外部接続機器用Ｉ／Ｏボード１６０を用意しておき、ユーザ毎に簡単に取り替え可能にしておくことが望ましい。
【００５７】
図１２（Ａ）、（Ｂ）、及び（Ｃ）を参照すると、本発明に係る外部接続機器用Ｉ／Ｏボード１６０の具体例が示されている。図１２（Ａ）に示された外部接続機器用Ｉ／Ｏボード１６０は、２個のキャッシュドロアー用ポート、２個のＵＳＢポート、２個のシリアルポート、及び、一個のパラレルポートを備えた標準的な拡張コネクタ用パネルＡであり、図１２（Ｂ）に示された外部接続機器用Ｉ／Ｏボード１６０は、２個のキャッシュドロアー用ポート、５個のＵＳＢポート、及び一個のパラレルポートを備えたパネルＢである。更に、図１２（Ｃ）に示された外部接続機器用Ｉ／Ｏボード１６０は、２個のキャッシュドロアー用ポート、１個のＵＳＢポート、２個の電源ポート、２個のシリアルポート、及び１個のパラレルポートを備えたパネルＣである。これらパネルＡ、Ｂ、及びＣは、当該パネルに搭載されるコネクタと共に、外部接続機器用接続部を構成している。なお、ライザボード１６４の第１のコネクタは、共通である。従って、ライザボード１６４の第１のコネクタの端子数は、各外部接続機器用Ｉ／Ｏボード１６０に共通するインターフェースの端子数と、他の外部接続機器用Ｉ／Ｏボード１６０と共通ではないインターフェースの端子数を合わせた端子数以上の端子数となっている。
【００５８】
上記した実施形態では、外部接続コネクタの一部をマザーボードに設け、他を外部接続機器用接続部に設けているが、マザーボードには外部接続コネクタを設けず、全ての外部接続コネクタを外部接続機器用接続部に設けるようにしてもよい。
【００５９】
以上述べた本発明によれば、情報処理装置用制御装置への外部接続機器用接続部の取り付けと取り外しを容易に行うことができる。取り付けと取り外しの時間を短縮することができる。また、専門の保守員ではないユーザでも取り付けと取り外しが可能となる。更に、複数種類の外部接続機器用接続部を用意することで、仕向け先（顧客）に最適な外部接続機器用接続部（周辺機器インターフェース）を選択し、情報処理装置用制御装置に取り付けることができる。
【００６０】
上記の実施形態の一部又は全部は、以下の付記のようにも記載されうるが、以下には限られない。
【００６１】
（付記１）  複数の外部接続コネクタと、該複数の外部接続コネクタを固定されると共に、結合用接続端子を端部に有する外部接続機器用Ｉ／Ｏボードを備えた外部接続機器用接続部を含み、前記外部接続機器用Ｉ／Ｏボードは、前記外部接続機器用接続部を外部機器に着脱するレバー部材及び着脱用ガイド溝を有することを特徴とする情報処理装置用制御装置。
【００６２】
（付記２）  付記１において、前記外部接続機器用接続部は、前記複数の外部接続コネクタの配置及び前記外部接続コネクタの種類が互いに異なる複数種類の外部接続機器用Ｉ／Ｏボードによって構成されていることを特徴とする情報処理装置用制御装置。
【００６３】
（付記３）  付記１又は２において、前記レバー部材は、前記外部接続機器用Ｉ／Ｏボード上部に設けられたブラケットに取り付けられ、前記着脱用ガイド溝は、前記外部接続機器用Ｉ／Ｏボードの底部に設けられ、前記着脱用ガイド溝は略Ｌ字状の形状を有していることを特徴とする情報処理装置用制御装置。
【００６４】
（付記４）  付記３において、前記外部接続機器用接続部を搭載する取付用挿入口を有するシャーシ部を更に有することを特徴とする情報処理装置用制御装置。
【００６５】
（付記５）  付記４において、前記シャーシ部は、前記取付用挿入口の上辺から下方向に突出し、前記レバー部材と連結される第１の突起部と、前記取付用挿入口の底辺から上方向に突出して、前記外部機器着脱用ガイド溝内に挿入される第２の突起部と、前記複数種類の外部接続機器用Ｉ／Ｏボードに対して共通に使用され、前記結合用接続端子と連結されるシャーシ側コネクタを備えていることを特徴とする情報処理装置用制御装置。
【００６６】
（付記６）  付記５において、前記シャーシ部は、更に、マザーボードを含み、前記シャーシ側コネクタに連結されたマザーボード装着用コネクタと、当該マザーボード装着用コネクタに着脱されるマザーボード側コネクタとを含んでいることを特徴とする情報処理装置用制御装置。
【００６７】
（付記７）  付記６において、前記シャーシ部は、前記マザーボードを支持する支持プレートを備え、前記マザーボードは、前記支持プレートに対してネジなしで取り付けるための取付用絶縁性スペーサを有していることを特徴とする情報処理装置用制御装置。
【００６８】
（付記８）  付記７において、前記シャーシ部は、更に、前記支持プレートに設けられた嵌合部によって支持される電源部を備えていることを特徴とする情報処理装置用制御装置。
【００６９】
（付記９）  付記８において、前記電源部及び前記マザーボードを押圧固定するカバー部材を有することを特徴とする情報処理装置用制御装置。
【００７０】
（付記１０）  付記９において、前記シャーシ部は、更に、ハードディスク装着部を備えていることを特徴とする情報処理装置用制御装置。
【００７１】
（付記１１）  付記１０において、前記ハードディクス装着部に装着されるハードディスクは、互いに間隔を置いて配置された２つの挿抜用舌片を有していることを特徴とする情報処理装置用制御装置。
【符号の説明】
【００７２】
１００    情報処理装置用制御装置
１０２    シャーシ（筐体フレーム）
１０２１  シャーシ本体
１０２２  前面プレート
１０２３  長穴
１０２４  スライド固定部
１０２６  スライド爪
１０２７  係止板
１０４    フロントカバー
１０５    トップカバー
１０４１  上部爪
１０４２  下部爪
１０４３  静電気防止用金属板
１０４４  舌片
１０６    リアカバー
１０６１、１０６２  係合爪
１１０    支持プレート
１１０１  電源取付部分
１１０２  マザーボード取付部分
１１０３  漏斗状の孔
１１０５  電源支持用バネ
１１０７  舌片
１１０８  電源固定用支持部
１１０９  コネクタ取付部
１２０    標準コネクタ群
１２２    マザーボード（メインボード）
１２２１  ＤＲＡＭ
１２２３  ヒートシンク
１２２５  ＣＰＵ
１２２７  マザーボードコネクタ
１２２９  ＲＴＣバッテリ
１３０    ハンドル
１３２    電源部
１３４    押圧プレート
１３４１  脚部
１４０    スペーサ
１４０１  台座
１４０２  円形台部
１４０３  支持部
１４０４  傘型部材
１４４    電極
１５０    ＨＤＤ
１５０１  ＨＤＤ本体
１５０３  ガイド部
１５０５  押さえ
１５２    ガイドバー
１５２１  先端部
１５２３  爪
１６０    外部接続機器用Ｉ／Ｏボード（外部接続機器用接続部）
１６２    挿入口
１６４    ライザボード
１６６    第１のコネクタ
１６７    第２のコネクタ
１６８    スタッド
１７２    プレート部
１７４    ボード部
１７５    ブラケット
１７６    複数種類のコネクタ
１８０    レバー部材
１８０１  回転軸
１８０３、１８０５  アーム
１８２    引出用ハンドル
１８３    外部接続用端子
１８５    略Ｌ字状開口
１９０    釘状突起
１９２    円柱状突起
【図１】
2013008339.tif 000003
【図２】
2013008339.tif 000004
【図３】
2013008339.tif 000005
【図４】
2013008339.tif 000006
【図５】
2013008339.tif 000007
【図６】
2013008339.tif 000008
【図７】
2013008339.tif 000009
【図８】
2013008339.tif 000010
【図９】
2013008339.tif 000011
【図１０】
2013008339.tif 000012
【図１１】
2013008339.tif 000013
【図１２】
2013008339.tif 000014
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
複数の外部接続コネクタと、該複数の外部接続コネクタが固定されると共に、結合用接続端子を端部に有する外部接続機器用Ｉ／Ｏボードを備えた外部接続機器用接続部を含み、
前記外部接続機器用Ｉ／Ｏボードは、前記外部接続機器用接続部を外部機器に着脱するレバー部材及び着脱用ガイド溝を有し、
前記レバー部材は、前記外部接続機器用Ｉ／Ｏボード上部に設けられたブラケットに取り付けられ、
前記着脱用ガイド溝は、前記外部接続機器用Ｉ／Ｏボードの底部に設けられ、かつ、略Ｌ字状の形状を有していることを特徴とする情報処理装置用制御装置。
【請求項２】
請求項１において、
前記外部接続機器用接続部は、前記複数の外部接続コネクタの配置及び前記外部接続コネクタの種類が互いに異なる複数種類の外部接続機器用Ｉ／Ｏボードによって構成されている
ことを特徴とする情報処理装置用制御装置。
【請求項３】
請求項１または２において、前記外部接続機器用接続部を搭載する取付用挿入口を有するシャーシ部を更に有することを特徴とする情報処理装置用制御装置。
【請求項４】
請求項３において、前記シャーシ部は、前記取付用挿入口の上辺から下方向に突出し、前記レバー部材と連結される第１の突起部と、前記取付用挿入口の底辺から上方向に突出して、前記外部機器着脱用ガイド溝内に挿入される第２の突起部と、前記複数種類の外部接続機器用Ｉ／Ｏボードに対して共通に使用され、前記結合用接続端子と連結されるシャーシ側コネクタを備えていることを特徴とする情報処理装置用制御装置。
【請求項５】
請求項４において、前記シャーシ部は、更に、マザーボードを含み、前記シャーシ側コネクタに連結されたマザーボード装着用コネクタと、当該マザーボード装着用コネクタに着脱されるマザーボード側コネクタとを含んでいることを特徴とする情報処理装置用制御装置。
【請求項６】
請求項５において、前記シャーシ部は、前記マザーボードを支持する支持プレートを備え、前記マザーボードは、前記支持プレートに対してネジなしで取り付けるための取付用絶縁性スペーサを有していることを特徴とする情報処理装置用制御装置。
【請求項７】
請求項６において、前記シャーシ部は、更に、前記支持プレートに設けられた嵌合部によって支持される電源部を備えていることを特徴とする情報処理装置用制御装置。
【請求項８】
請求項７において、前記電源部及び前記マザーボードを押圧固定するカバー部材を有することを特徴とする情報処理装置用制御装置。
【請求項９】
請求項８において、前記シャーシ部は、更に、ハードディスク装着部を備えていることを特徴とする情報処理装置用制御装置。
【請求項１０】
複数の外部接続コネクタと、該複数の外部接続コネクタが固定されると共に、結合用接続端子を端部に有し、情報処理装置用制御装置の外部接続機器用接続部として着脱される外部接続機器用Ｉ／Ｏボードであって、
外部機器に着脱するためのレバー部材及び着脱用ガイド溝を有し、
前記レバー部材は、前記外部接続機器用Ｉ／Ｏボード上部に設けられたブラケットに取り付けられ、
前記着脱用ガイド溝は、前記外部接続機器用Ｉ／Ｏボードの底部に設けられ、かつ、略Ｌ字状の形状を有していることを特徴とする外部接続機器用Ｉ／Ｏボード。